(57)【要約】【課題】表示装置にコンテンツデータの再生に関する情報を設定させることを目的としている。【解決手段】表示装置と、前記表示装置と通信可能な情報端末と、を含む表示システムであって、前記情報端末は、前記表示装置におけるコンテンツデータの再生の制御に係る設定項目情報を取得する設定項目情報取得部と、取得した前記設定項目情報に基づき、前記設定項目情報に含まれる項目の値を設定する設定画面を表示させる表示制御部と、前記設定画面において設定された前記項目の値を用いて、当該情報端末において選択されたコンテンツデータの前記表示装置における再生を制御する再生制御情報を生成する生成部と、を有することを特徴とする。【選択図】図１３
2015053624.tif 000002
【特許請求の範囲】
【請求項１】
表示装置と、前記表示装置と通信可能な情報端末と、を含む表示システムであって、
前記情報端末は、
前記表示装置におけるコンテンツデータの再生の制御に係る設定項目情報を取得する設定項目情報取得部と、
取得した前記設定項目情報に基づき、前記設定項目情報に含まれる項目の値を設定する設定画面を表示させる表示制御部と、
前記設定画面において設定された前記項目の値を用いて、当該情報端末において選択されたコンテンツデータの前記表示装置における再生を制御する再生制御情報を生成する生成部と、を有することを特徴とする表示システム。
【請求項２】
表示装置と、プログラムと、を含む表示システムであって、
前記プログラムは、前記表示装置と通信可能な情報端末に、
前記表示装置におけるコンテンツデータの再生の制御に係る設定項目情報を取得する設定項目情報取得手順と、
取得した前記設定項目情報に基づき、前記設定項目情報に含まれる項目の値を設定する設定画面を表示させる表示制御手順と、
前記設定画面において設定された前記項目の値を用いて、当該情報端末において選択されたコンテンツデータの前記表示装置における再生を制御する再生制御情報を生成する生成手順と、を実行させることを特徴とする表示システム。
【請求項３】
表示装置と通信可能な情報端末であって、
前記表示装置におけるコンテンツデータの再生の制御に係る設定項目情報を取得する設定項目情報取得部と、
取得した前記設定項目情報に基づき、前記設定項目情報に含まれる項目の値を設定する設定画面を表示させる表示制御部と、
前記設定画面において設定された前記項目の値を用いて、当該情報端末において選択されたコンテンツデータの前記表示装置における再生を制御する再生制御情報を生成する生成部と、を有することを特徴とする情報端末。
【請求項４】
情報端末と通信可能であり、コンテンツデータを再生する表示装置であって、
前記情報端末からの要求を受けて、当該表示装置におけるコンテンツデータの再生の制御に係る設定項目情報を前記情報端末に送信する送信部と、
前記情報端末において前記設定項目情報に基づき設定された再生制御情報を受信する受信部と、
前記再生制御情報にしたがって、前記情報端末において選択されたコンテンツデータを再生する表示制御部と、を有することを特徴とする表示装置。
【請求項５】
表示装置と通信可能な情報端末において実行される再生制御プログラムであって、
前記情報端末に、
前記表示装置におけるコンテンツデータの再生の制御に係る設定項目情報を取得する設定項目情報取得手順と、
取得した前記設定項目情報に基づき、前記設定項目情報に含まれる項目の値を設定する設定画面を表示させる表示制御手順と、
前記設定画面において設定された前記項目の値を用いて、当該情報端末において選択されたコンテンツデータの前記表示装置における再生を制御する再生制御情報を生成する生成手順と、を実行させることを特徴とする再生制御プログラム。
【請求項６】
前記表示制御手順は、
前記設定項目情報と対応した設定画面用データを用いて前記設定画面を表示させることを特徴とする請求項５記載の再生制御プログラム。
【請求項７】
前記設定項目情報は、
前記再生制御情報に含まれる項目の種類を示す情報と、前記項目毎の設定値の範囲を示す情報とを含み、
前記表示制御手順は、
前記項目の種類と、前記項目毎の設定値の範囲とのそれぞれ対応した前記設定画面用データを用いて前記設定画面を表示させることを特徴とする請求項６記載の再生制御プログラム。
【請求項８】
前記項目の種類は、
前記表示装置におけるコンテンツデータの再生時間を示す項目と、前記表示装置におけるコンテンツデータの表示の切り替え方を示す項目と、を含むことを特徴とする請求項７記載の再生制御プログラム。
【請求項９】
前記設定項目情報取得手順は、
前記表示装置から前記設定項目情報を取得することを特徴とする請求項５乃至８の何れか一項に記載の再生制御プログラム。
【請求項１０】
前記表示装置の機種を特定する機種情報を前記表示装置から取得する機種情報取得手順を有し、
前記設定項目情報取得手順は、
前記機種情報と前記設定項目情報とが対応付けられた対応テーブルが格納された記憶部を参照し、前記機種情報と対応する前記設定項目情報を取得することを特徴とする請求項５乃至８の何れか一項に記載の再生制御プログラム。
【請求項１１】
表示装置と、前記表示装置と通信可能な情報端末と、を含む表示システムにおける選択制御方法であって、
前記情報端末による、
前記表示装置におけるコンテンツデータの再生の制御に係る設定項目情報を取得する設定項目情報取得手順と、
取得した前記設定項目情報に基づき、前記設定項目情報に含まれる項目の値を設定する設定画面を表示させる表示制御手順と、
前記設定画面において設定された前記項目の値を用いて当該情報端末において選択されたコンテンツデータの前記表示装置における再生を制御する再生制御情報を生成する生成手順と、を有することを特徴とする再生制御方法。
【発明の詳細な説明】
【技術分野】
【０００１】
本発明は、コンテンツデータの表示システム、情報端末、表示装置、再生制御プログラム及び再生制御方法に関する。
【背景技術】
【０００２】
従来から、情報端末から表示装置に画像データを提供し、表示装置に画像を表示させる技術が知られている。この従来の技術では、表示装置の各種設定値に予め調整された値が設定されるが、近年では、表示装置の設定値を調整する労力を省くための工夫が為されている。
【０００３】
この工夫の一つとして、例えば画像データを提供する側の情報端末から、画像の表示に係る設定状態を指定する表示設定情報を表示装置へ送信し、表示装置に表示設定情報にしたがった設定をさせる方法が既に知られている（特許文献１）。
【発明の概要】
【発明が解決しようとする課題】
【０００４】
しかしながら上記の方法では、表示装置は、例えば表示輝度やカラーモード等の表示に係る値を設定するのみである。したがって、例えば複数の画像等を含むコンテンツデータを表示装置に表示させる場合等には、画像の表示順や表示時間等のコンテンツデータの再生に関する情報を表示装置に設定させることが困難である。
【０００５】
本発明は、上記事情を鑑みてこれを解決すべく為されたものであり、表示装置にコンテンツデータの再生に関する情報を設定させることが可能な表示システム、情報端末、表示装置、再生制御プログラム及び再生制御方法を提供することを目的としている。
【課題を解決するための手段】
【０００６】
本発明は、上記目的を達成すべく以下の如き構成を採用した。
【０００７】
本発明は、表示装置と、前記表示装置と通信可能な情報端末と、を含む表示システムであって、前記情報端末は、前記表示装置におけるコンテンツデータの再生の制御に係る設定項目情報を取得する設定項目情報取得部と、取得した前記設定項目情報に基づき、前記設定項目情報に含まれる項目の値を設定する設定画面を表示させる表示制御部と、前記設定画面において設定された前記項目の値を用いて、当該情報端末において選択されたコンテンツデータの前記表示装置における再生を制御する再生制御情報を生成する生成部と、を有することを特徴とする。
【発明の効果】
【０００８】
本発明によれば、表示装置にコンテンツデータの再生に関する情報を設定させることができる。
【図面の簡単な説明】
【０００９】
【図１】第一の実施形態の表示システムのシステム構成の一例を示す図である。
【図２】第一の実施形態の表示システムの利用シーンの一例を説明する図である。
【図３】第一の実施形態の表示システムが有する各装置のハードウェア構成の一例を示す図である。
【図４】第一の実施形態の表示システムが有する各装置の機能構成の一例を示す図である。
【図５】第一の実施形態の設定項目情報の一例を示す図である。
【図６】第一の実施形態の設定テーブルの一例を示す図である。
【図７】第一の実施形態の再生制御情報の一例を説明する図である。
【図８】第一の実施形態の表示システムの動作を説明するシーケンス図である。
【図９】第一の実施形態の情報端末に表示されるコンテンツデータの一覧画面の例を示す図である。
【図１０】第一の実施形態の情報端末に表示される設定画面の例を示す図である。
【図１１】第二の実施形態の表示システムが有する各装置の機能構成の一例を示す図である。
【図１２】第二の実施形態の設定項目情報の一例を示す図である。
【図１３】第二の実施形態の表示システムの動作を説明するシーケンス図である。
【図１４】第二の実施形態の情報端末に表示される設定画面の例を示す図である。
【図１５】第三の実施形態の表示システムが有する各装置の機能構成の一例を示す図である。
【発明を実施するための形態】
【００１０】
本発明は、ユーザが設定した値に基づきコンテンツデータの再生のさせ方を示す再生制御情報を生成して表示装置へ送信し、表示装置にコンテンツデータの再生に関する情報を設定させる。
（第一の実施形態）
以下に図面を参照して本発明の第一の実施形態について説明する。図１は、第一の実施形態の表示システムのシステム構成の一例を示す図である。
【００１１】
本実施例の表示システム１００は、情報端末２００と表示装置３００とを有し、情報端末２００と表示装置３００とはネットワーク等のデータ伝送路Ｎを介して接続される。
【００１２】
本実施例の情報端末２００は、例えば３Ｇ（3rd Generation）,ＬＴＥ（Long Term Evolution），４Ｇ（4th Generation）の規格に準ずる通信方式による通信を行っても良い。また本実施形態の情報端末２００は、例えばＺｉｇＢｅｅやＢｌｕｅｔｏｏｔｈ（登録商標）等に準ずる通信方式よる通信を行っても良い。
【００１３】
本実施形態の情報端末２００は、例えばスマートフォンや携帯電話等の無線通信端末であっても良い。また本実施形態の情報端末２００は、例えばタブレットＰＣ（Personal Computer）やノート型ＰＣであっても良い。本実施形態の情報端末２００は、表示装置３００と通信を行えるものであれば良い。
【００１４】
本実施形態の情報端末２００は、再生制御プログラム２１０がインストールされている。本実施形態の情報端末２００は、再生制御プログラム２１０を実行して表示装置３００に表示させるコンテンツデータの再生制御情報を生成し、コンテンツデータと再生制御情報とを表示装置３００へ送信する。
【００１５】
本実施形態の表示装置３００は、再生プログラム３１０がインストールされている。本実施形態の表示装置３００は、再生プログラム３１０を実行することで、情報端末２００から送信されたコンテンツデータを再生制御情報に基づき表示させる。
【００１６】
本実施形態の表示装置３００は、情報端末２００から送信された再生制御情報に基づきコンテンツデータを表示させることが可能な表示機能を有していれば良い。具体的には本実施例の表示装置３００は、例えばプロジェクタやディスプレイ等である。
【００１７】
以下の本実施形態の説明では、表示装置３００が再生制御情報にしたがってコンテンツデータを表示させることを、コンテンツデータを再生する、と表現する。
【００１８】
また本実施形態のコンテンツデータとは、例えば画像データや動画データ等である。コンテンツデータとなる画像データは、例えば１枚の画像の画像データであっても良いし、複数枚の画像の画像データであっても良い。本実施形態のコンテンツデータは、表示装置３００に表示させることが可能なデータであれば良い。
【００１９】
以下の本実施形態の説明では、表示装置３００で再生されるコンテンツデータを再生コンテンツデータと呼び、それ以外の例えば所定の記憶領域に格納されているコンテンツデータを単にコンテンツデータと呼ぶ。
【００２０】
以下に図２を参照して本実施形態の表示システム１００の利用シーンについて説明する。図２は、第一の実施形態の表示システムの利用シーンの一例を説明する図である。
【００２１】
図２の例では、情報端末２００をスマートフォン又はタブレットＰＣとし、表示装置３００をプロジェクタ３０１とスクリーン３０２を含む構成とし、表示システム１００を例えば電子看板（Digital Signage）に用いた場合を示している。
【００２２】
本実施形態の情報端末２００は、ユーザにより再生コンテンツデータの再生の仕方が設定されると、この設定に基づき再生コンテンツデータの再生制御情報を生成する。そして情報端末２００は、再生コンテンツデータと再生制御情報とをプロジェクタ３０１へ送信する。プロジェクタ３０１は、受信した再生コンテンツデータを記憶部に保存し、再生制御情報にしたがって再生コンテンツデータを再生する。
【００２３】
本実施形態の表示システム１００では、ユーザは、１度再生コンテンツデータと再生制御情報を表示装置３００に送信すれば、所望の設定通りに再生コンテンツデータを継続して再生することができる。
【００２４】
すなわち本実施形態の表示システム１００を電子看板等に適用した場合、自動的にユーザが望むようにコンテンツデータが再生されるため、ユーザはコンテンツデータの表示順や表示の切り替え等をその都度設定する手間を省くことができる。
【００２５】
次に図３を参照して本実施形態の表示システム１００の有する各装置のハードウェア構成を説明する。図３は、第一の実施形態の表示システムが有する各装置のハードウェア構成の一例を示す図である。
【００２６】
本実施形態の情報端末２００は、それぞれバスＢ１で相互に接続されているＣＰＵ（Central Processing Unit）２１、記憶部２２、入力部２３、外部インターフェイス部２４、ネットワーク制御部２５、出力部２６、ドライバ２７を有する。
【００２７】
ＣＰＵ２１は、情報端末２００の各種動作を制御する。記憶部２２は、情報端末２００の動作や演算に係る各種情報や、情報端末２００で実行される各種プログラム等が格納される。入力部２３は、各種信号や情報を入力するために用いられる。入力部２３は、例えばタッチパネル等の表示機能を有していても良い。また本実施形態の入力部２３は、例えばポインティングデバイスやキーボード等であっても良い。
【００２８】
本実施形態の外部インターフェイス部２４は、例えばＵＳＢ（Universal Serial Bus）メモリスロットやＮＦＣ（Near field communication）等である。ネットワーク制御部２５は、モデム，ＬＡＮカード等を含み、ネットワークに接続する為に用いられる。
出力部２６は、情報端末２００から各種情報報の出力するために用いられる。本実施形態の出力部２６は、例えばディスプレイ等であっても良いし、外部装置へ各種データを送信する送信部であっても良い。
【００２９】
本実施形態の再生制御プログラム２１０は、情報端末２００を制御する各種プログラムの少なくとも一部である。再生制御プログラム２１０は例えば記録媒体２８の配布やネットワークからのダウンロードなどによって提供される。再生制御プログラム２１０を記録した記録媒体２８は、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００３０】
また再生制御プログラム２１０を記録した記録媒体２８がドライバ２７にセットされると、再生制御プログラム２１０は記録媒体２８からドライバ２７を介して記憶部２２にインストールされる。ネットワークからダウンロードされた再生制御プログラム２１０は、ネットワーク制御部２５を介して記憶部２２にインストールされる。
【００３１】
記憶部２２は、インストールされた再生制御プログラム２１０を格納すると共に、必要なファイル，データ等を格納する。ＣＰＵ２１は記憶部２２に格納された再生制御プログラム２１０に従って、後述するような各種処理を実現している。
【００３２】
本実施形態の表示装置３００は、それぞれバスＢ２で相互に接続されているＣＰＵ３１、記憶部３２、入力部３３、外部インターフェイス部３４、ネットワーク制御部３５、表示部３６、ドライバ２７を有する。
【００３３】
ＣＰＵ３１は、表示装置３００の各種動作を制御する。記憶部３２は、表示装置３００の動作や演算に係る各種情報や、表示装置３００で実行される各種プログラム、表示装置３００で再生されるコンテンツデータ等が格納される。入力部３３は、各種信号や情報を入力するために用いられる。入力部３３は、例えば表示装置３００を操作する操作部材等である。
【００３４】
本実施形態の外部インターフェイス部３４は、例えばＵＳＢ（Universal Serial Bus）メモリスロットやＮＦＣ（Near field communication）等である。ネットワーク制御部３５は、表示装置３００のネットワークへの接続を制御する。表示部３６は、表示装置３００が表示指示を受けたコンテンツデータを表示させる。
【００３５】
本実施形態の再生プログラム３１０は、表示装置３００を制御する各種プログラムの少なくとも一部である。再生プログラム３１０は例えば記録媒体３８の配布やネットワークからのダウンロードなどによって提供される。また再生プログラム３１０を記録した記録媒体３８がドライバ３７にセットされると、再生プログラム３１０は記録媒体３８からドライバ３７を介して記憶部３３にインストールされる。ネットワークからダウンロードされた再生プログラム３１０は、ネットワーク制御部３５を介して記憶部３３にインストールされる。
【００３６】
記憶部３３は、インストールされた再生プログラム３１０を格納すると共に、必要なファイル，データ等を格納する。ＣＰＵ３１は記憶部３３に格納された再生プログラム３１０に従って、後述するような各種処理を実現している。
【００３７】
次に、図４を参照して本実施形態の表示システム１００が有する各装置の機能構成について説明する。図４は、第一の実施形態の表示システムが有する各装置の機能構成の一例を示す図である。
【００３８】
本実施形態の情報端末２００は、記憶部２２内に設けられた所定の記憶領域２２０を有する。記憶領域２２０には、例えばコンテンツデータ２２１と、設定項目情報２２２とが格納されている。コンテンツデータ２２１は、例えば表示装置３００へ表示することが可能なデータであり、例えば画像データや動画データ等である。
【００３９】
本実施形態の設定項目情報２２２は、再生制御情報においてユーザにより設定される項目と、項目毎の設定値の範囲を含む情報である。すなわち本実施形態の設定項目情報２２２は、表示装置３００におけるコンテンツデータ２２１の再生の制御に係る情報であり、より具体的には再生の制御に係る項目の種類を示す情報と項目毎の設定値の範囲を示す情報とを含む情報である。設定項目情報２２２は、例えば表示装置３００の性能や仕様により、予め決められている。本実施形態では、表示装置３００の仕様等により予め決められた設定項目情報２２２が記憶部２２内に格納されているものとした。
【００４０】
尚以下の説明では、設定項目情報２２２における項目の種類を示す情報を単に項目と呼び、項目毎の設定値の範囲を示す情報を単に設定範囲と呼ぶ。
【００４１】
また本実施形態の情報端末２００は、表示制御部２１１、入力受付部２１２、再生制御情報生成部２１３、送信部２１４を有する。
【００４２】
本実施形態の表示制御部２１１は、情報端末２００の出力部２６であるディスプレイ等に、コンテンツデータ２２１の一覧画面や、設定項目情報２２２に含まれる項目の値を設定させる設定画面等を表示させる。
【００４３】
本実施形態の入力受付部２１２は、コンテンツデータ２２１の一覧を表示させた一覧画面においてコンテンツデータ２２１の選択を受け付ける。本実施形態では、情報端末２００の一覧画面において選択されたコンテンツデータ２２１が、表示装置３００で再生される再生コンテンツデータ３３１として、表示装置３００へ送信される。また本実施形態の入力受付部２１２は、設定項目情報２２２に含まれる項目の値を設定させる設定画面における設定値の入力を受け付ける。
【００４４】
本実施形態の再生制御情報生成部２１３は、再生コンテンツデータに含まれる情報に基づき、再生制御情報３３２を生成する。具体的には本実施形態の再生制御情報生成部２１３は、再生制御情報３３２に含まれる項目と、各項目に設定された値とを対応付けた設定テーブル２１５を保持しており、設定テーブル２１５を参照して所定のフォーマットにしたがった再生制御情報３３２を生成する。
【００４５】
本実施形態では、設定項目情報２２２に含まれる項目は再生制御情報３３２に含まれる項目の一部である。すなわち本実施形態の再生制御情報３３２には、設定項目情報２２２に含まれる項目に対してユーザが設定した値が含まれる。本実施形態の再生制御情報生成部２１３の処理の詳細は後述する。
【００４６】
本実施形態の送信部２１４は、再生コンテンツデータ３３１と、生成された再生制御情報３３２とを表示装置３００へ送信する。
【００４７】
尚本実施形態の情報端末２００は、コンテンツデータ２２１が記憶部２２内に格納されているものとしたが、これに限定されない。コンテンツデータ２２１は、例えば情報端末２００が読取可能な可搬型の記録媒体に格納されていても良いし、情報端末２００と通信が可能な外部装置に格納されていても良い。
【００４８】
本実施形態の表示装置３００は、保存制御部３１１、検証部３１２、通知部３１３を有する。また本実施形態の表示装置３００は、表示部３６に対する表示を制御する表示制御部３２０を有する。
【００４９】
さらに本実施形態の表示装置３００は、情報端末２００から送信された再生コンテンツデータ３３１と、再生制御情報３３２とが格納される記憶領域３３０を有する。尚本実施形態の記憶領域３３０は、例えば表示装置３００の有する記憶部３２に設けられても良いし、表示装置３００が読取可能な可搬型の記録媒体に設けられても良い。また記憶領域３３０は、表示装置３００と通信が可能な外部装置等に設けられても良い。
【００５０】
本実施形態の保存制御部３１１は、情報端末２００から受信した再生コンテンツデータ３３１と再生制御情報３３２とを記憶領域３３０に格納する。また本実施形態の保存制御部３１１は、情報端末２００から再生コンテンツデータ３３１の再生指示を受けると、再生制御情報３３２に含まれる各項目の値を表示装置３００に設定する。
【００５１】
検証部３１２は、再生制御情報３３２に基づき、再生コンテンツデータ３３１が表示装置３００において再生可能か否かを検証する。検証部３１２の処理の詳細は後述する。通知部３１３は、検証結果を情報端末２００に通知する。
【００５２】
以下に本実施形態の再生制御情報生成部２１３による再生制御情報の生成について説明する。
【００５３】
図５は、第一の実施形態の設定項目情報の一例を示す図である。
【００５４】
本実施形態の設定項目情報２２２には、例えば設定項目として、Ｏｒｄｅｒ、Ｔｉｍｅ、Ｅｆｆｅｃｔが含まれる。
【００５５】
項目Ｏｒｄｅｒは、再生コンテンツデータ３３１に含まれるコンテンツデータ２２１の再生順を示す項目である。本実施形態では、例えば項目Ｏｒｄｅｒの値が０のとき、再生コンテンツデータ３３１に含まれるコンテンツデータ２２１の再生順が指定されていることを示す。また項目Ｏｒｄｅｒの値が１のとき、再生コンテンツデータ３３１に含まれるコンテンツデータ２２１の再生順はランダムとなる。コンテンツデータ２２１の再生順は、例えばコンテンツデータ２２１の一覧画面で再生コンテンツデータ３３１に選択された順であっても良い。
【００５６】
項目Ｔｉｍｅは、再生コンテンツデータ３３１に含まれるコンテンツデータ２２１の再生時間を示す項目である。図５の例では、項目Ｔｉｍｅの設定範囲は１秒〜３０秒であり、１秒単位での設定が可能である。
【００５７】
項目Ｅｆｆｅｃｔは、再生コンテンツデータ３３１に含まれるコンテンツデータ２２１の表示の切り替え方を示す項目である。図５の例では、項目Ｅｆｆｅｃｔは、値０〜値５の６つの値と対応した表示の切り替え方の何れかの設定範囲となる。
【００５８】
本実施形態の情報端末２００は、表示制御部２１１が設定項目情報２２２に基づき、各項目の設定画面を表示させる。設定画面の詳細は後述する。
【００５９】
以下に、情報端末２００において、記憶領域２２０に格納されたコンテンツデータ２２１から、３つのコンテンツデータ２２１ａ，２２１ｂ，２２１ｃがこの順番に選択された場合の各項目について考える。
【００６０】
この場合、再生コンテンツデータ３３１は、コンテンツデータ２２１ａ，２２１ｂ，２２１ｃの集合となる。よって項目Ｏｒｄｅｒの値が０であった場合、コンテンツデータ２２１ａ，２２１ｂ，２２１ｃは、この順番が再生の順序に設定される。また項目Ｏｒｄｅｒの値が１であった場合、コンテンツデータ２２１ａ，２２１ｂ，２２１ｃの再生順はランダムとなる。本実施形態では、項目Ｏｒｄｅｒの値は初期値として０が予め設定されていても良い。
【００６１】
項目Ｔｉｍｅでは、コンテンツデータ２２１ａ，２２１ｂ，２２１ｃのそれぞれの再生時間が設定される。尚項目Ｔｉｍｅでは、初期値として５秒という時間が予め設定されている。
【００６２】
項目Ｅｆｆｅｃｔでは、例えばンテンツデータ２２１ａ，２２１ｂ，２２１ｃがこの順に再生されるものと設定された場合には、表示装置３００の表示がコンテンツデータ２２１ａからコンテンツデータ２２１ｂへ切り替わるときの切り替え方が設定される。また項目Ｅｆｆｅｃｔでは、コンテンツデータ２２１ｂからコンテンツデータ２２１ｃへ切り替わるときの切り替え方が設定される。尚項目Ｅｆｆｃｔでは、初期値としてフェードインが設定されている。フェードインとは、徐々に再生される画像が明確になるように表示を切り替える切り替え方である。
【００６３】
本実施形態では、表示の切り替え方として、左右へのプッシュやワイプ等が設定できる。プッシュとは、例えば表示されているコンテンツデータを左右のどちらかに押し出すようにして次のコンテンツデータを表示させる表示の切り替え方である。またワイプとは、表示中のコンテンツデータを拭き取るようにして次のコンテンツデータを表示させる表示の切り替え方である。
【００６４】
尚本実施形態では、再生コンテンツデータ３３１に含まれるコンテンツデータ２２１に対して一括して設定項目情報２２２に含まれる項目に値を設定しても良いし、再生コンテンツデータ３３１に含まれる各コンテンツデータ２２１に項目の値を設定しても良い。
【００６５】
図６は、第一の実施形態の設定テーブルの一例を示す図である。本実施形態の設定テーブル２１５は、設定項目情報２２２に含まれる項目Ｏｒｄｅｒ、Ｔｉｍｅ、Ｅｆｆｅｃの他にＶｅｒｓｉｏｎ、コンテンツリスト、パスの項目を含む。
【００６６】
本実施形態の項目Ｖｅｒｉｏｎは、再生制御情報３３２を生成する際のフォーマットのバージョンを示す項目である。本実施形態の項目Ｖｅｒｉｏｎの値は、再生コンテンツデータ３３１を表示装置３００に表示させるために、表示装置３００側と対応した値とする。
【００６７】
項目コンテンツリストは、コンテンツデータの再生設定の配列を示す。配列とは、例えば再生コンテンツデータ３３１に含まれるコンテンツデータ２２１が記憶領域３３０に格納された順や、コンテンツデータ２２１が選択された順等である。本実施形態の設定テーブル２１５では、項目Ｖｅｒｓｉｏｎ、コンテンツリストは予め設定されているものとした。
【００６８】
項目パスは、再生コンテンツデータ３３１に含まれる各コンテンツデータ２２１の格納場所を示す。本実施形態では、コンテンツデータ２２１が選択されたとき、そのコンテンツデータ２２１の格納場所を項目パスの値として設定テーブル２１５に設定しても良い。また本実施形態の項目パスの値には、選択されたコンテンツデータ２２１のファイル名が含まれても良い。
【００６９】
本実施形態の再生制御情報生成部２１３は、設定項目情報２２２に含まれる各項目の値がユーザにより設定されると、ユーザにより設定された値を設定テーブル２１５の該当する項目と対応付ける。そして再生制御情報生成部２１３は、設定テーブル２１５を参照して再生制御情報３３２を生成する。
【００７０】
尚本実施形態では、設定テーブル２１５に含まれる一部の項目が設定項目情報２２２に含まれるものとしたが、これに限定されない。例えば設定テーブル２１５に含まれる全ての項目が設定項目情報２２２に含まれても良い。すなわち設定テーブル２１５に含まれる全ての項目の値が、ユーザにより設定可能であっても良い。
【００７１】
図７は、第一の実施形態の再生制御情報の一例を説明する図である。本実施形態の再生制御情報生成部２１３は、設定テーブル２１５の各項目の値が設定されると、全ての項目の値を含む所定のフォーマットの再生制御情報３３２を生成する。
【００７２】
図７の例では、所定のフォーマットは、ジェイソン形式とした。ジェイソン形式とは、JavaScript（登録商標）におけるオブジェクトの表記法をベースとした軽量なデータ記述言語である。本実施形態の再生制御情報３３２のフォーマットは、表示装置３００が読取可能なフォーマットとした。
【００７３】
図７の例では、項目Ｖｅｒｓｉｏｎの値は１．１．０であり、項目Ｏｒｄｅｒの値は０であり、項目コンテンツリストの値として、再生コンテンツデータ３３１に含まれる５つのコンテンツデータ２２１が再生順に並べられている。項目コンテンツリストの値は、具体的には再生コンテンツデータ３３１に含まれ各コンテンツデータ２２１のパスの値、項目Ｔｉｍｅの値、項目Ｅｆｆｅｃｔの値である。
【００７４】
以上のように本実施形態では、ユーザが設定した値を含む再生制御情報３３２を生成し、表示装置３００へ送信する。よって本実施形態では、ユーザの所望の再生の仕方を表示装置３００に設定させることができる。
【００７５】
尚図７は、本実施形態の再生制御情報３３２の一例を示すものであって、再生制御情報３３２はこれに限定されるものではない。再生制御情報３３２は、少なくとも再生コンテンツデータ３３１が含むコンテンツデータ２２１の格納場所が含まれていれば良い。
【００７６】
次に図８を参照して本実施形態の表示システム１００の動作を説明する。図８は、第一の実施形態の表示システムの動作を説明するシーケンス図である。
【００７７】
本実施形態の表示システム１００において、ユーザが情報端末２００に対してコンテンツデータ２２１の一覧表示要求を行うと（ステップＳ８０１）、情報端末２００は表示制御部２１１により、コンテンツデータ２２１の一覧画面を表示させる（ステップＳ８０２）。尚一覧画面の詳細は後述する。
【００７８】
続いて情報端末２００は、入力受付部２１２により、一覧画面におけるコンテンツデータ２２１の選択を受け付ける（ステップＳ８０３）。本実施形態の情報端末２００は、ユーザがコンテンツデータ２２１の選択を終了するまでステップＳ８０３の処理を繰り返す。ステップＳ８０３で選択されたコンテンツデータ２２１の集合は、再生コンテンツデータ３３１となる。
【００７９】
続いて情報端末２００は、表示制御部２１１により、設定項目情報２２２を参照し、設定項目情報２２２に含まれる項目の設定画面を表示させる（ステップＳ８０４）。設定画面の詳細は後述する。
【００８０】
続いて情報端末２００は、設定画面において入力された各項目の値を入力受付部２１２により受け付ける（ステップＳ８０５）。入力された各項目の値は、設定テーブル２１５において、該当する項目と対応付けられて保持される。設定項目情報２２２に含まれる項目は、前述した通りである。
【００８１】
続いて情報端末２００は、ユーザにより、再生コンテンツデータ３３１の再生要求を受け付けると（ステップＳ８０６）、再生制御情報生成部２１３により、再生制御情報３３２を生成する（ステップＳ８０７）。具体的には本実施形態の再生制御情報生成部２１３は、再生要求を受けると、設定テーブル２１５に格納された各項目の値を所定のフォーマットに代入して再生制御情報３３２を生成する。
【００８２】
続いて情報端末２００は、送信部２１４により、再生制御情報３３２を表示装置３００へ送信する（ステップＳ８０８）。
【００８３】
表示装置３００は、情報端末２００から再生制御情報３３２を受信すると、保存制御部３１１により再生制御情報３３２を記憶領域３３０に格納する（ステップＳ８０９）。
【００８４】
続いて情報端末２００は、送信部２１４により、再生コンテンツデータ３３１を表示装置３００へ送信する（ステップＳ８１０）。表示装置３００は、保存制御部３１１により、再生コンテンツデータ３３１を記憶領域３３０に格納する（ステップＳ８１１）。本実施形態では、例えば記憶領域３３０内に情報端末２００と対応したフォルダ等が設けられており、再生コンテンツデータ３３１と再生制御情報３３２とはこのフォルダに格納されても良い。
【００８５】
続いて表示装置３００は、通知部３１３により、記憶領域３３０への再生コンテンツデータ３３１の格納（アップロード）が完了したことを情報端末２００へ通知する（ステップＳ８１２）。
【００８６】
情報端末２００は、この通知を受けると、表示装置３００に対して再生コンテンツデータ３３１の再生指示を送信する（ステップＳ８１３）。本実施形態の表示装置３００は、情報端末２００から再生指示を受信すると、再生制御情報３３２にしたがった再生コンテンツデータ３３１の再生が実行されるように、再生制御情報３３２に含まれる各項目の値を自身へ設定する。
【００８７】
また表示装置３００は、再生指示を受けると、検証部３１２により再生制御情報３３２にしたがった再生コンテンツデータ３３１の再生が行えるか否かの検証を行う（ステップＳ８１４）。
【００８８】
以下に本実施形態の検証部３１２による検証について説明する。本実施形態の検証部３１２は、再生制御情報３３２を参照し、再生制御情報３３２が表示装置３００により読取可能なフォーマットであるか否かを検証する。また検証部３１２は、再生制御情報３３２を参照し、例えば項目Ｖｅｒｓｉｏｎの値が表示装置３００と対応しているか、また再生制御情報３３２に各コンテンツデータ２２１のパスが含まれているか否か等を検証する。
【００８９】
本実施形態の通知部３１３は、検証部３１２による検証結果を情報端末２００へ通知する（ステップＳ８１５）。具体的には本実施形態の通知部３１３は、例えば再生コンテンツデータ３３１が再生可能であることが検証された場合、通信が成功したことを情報端末２００へ通知しても良い。通知部３１３からの通知を受けると、情報端末２００は、通知結果を表示させる（ステップＳ８１６）。
【００９０】
また通知部３１３は、再生コンテンツデータ３３１の再生が不可能である場合、通信に失敗したことを情報端末２００へ通知する。再生が不可能である場合とは、例えば再生制御情報３３２が表示装置３００では読み取れないフォーマットであった場合、Ｖｅｒｓｉｏｎが表示装置３００と対応していない場合、再生制御情報３３２に、コンテンツデータ２２１のパスが含まれていない場合等である。
【００９１】
本実施形態では、例えば通信に失敗した場合に、再生コンテンツデータ３３１の再送を促すメッセージを情報端末２００に表示させても良い。情報端末２００は、再生コンテンツデータ３３１を再送する場合に、ステップＳ８０４〜ステップＳ８０８までの処理を繰り返しても良い。また情報端末２００は、再生コンテンツデータ３３１を再送する場合に、再生コンテンツデータ３３１と設定項目情報２２２に含まれる項目の値のみを表示装置３００へ送信しても良い。この場合表示装置３００は、再送された項目の値を再生制御情報３３２の該当する項目へ格納し、再度検証部３１２による検証を行っても良い。
【００９２】
ステップＳ８１６に続いて表示装置３００は、再生コンテンツデータ３３１を再生制御情報３３２にしたがって再生する（ステップＳ８１７）。
【００９３】
尚図８では、情報端末２００は、再生制御情報３３２を表示装置３００に送信した後に再生コンテンツデータ３３１を表示装置３００に送信するものとしたが、これに限定されない。例えば情報端末２００は、再生制御情報３３２を再生コンテンツデータ３３１と対応付けて、両者を同時に表示装置３００へ送信しても良い。
【００９４】
また図８では、一覧画面においてコンテンツデータ２２１が選択され、設定項目情報２２２の項目の値が設定された後に、再生制御情報３３２を生成するものとしたが、これに限定されない。情報端末２００は、例えばコンテンツデータ２２１の選択や設定項目情報２２２の項目の値の設定の際に、平行して再生制御情報３３２を生成しても良い。
【００９５】
また設定項目情報２２２の項目の値の設定は、例えば再生制御プログラム２１０が起動した際に行われても良いし、コンテンツデータ２２１の一覧表示要求を受けた直後に行われても良い。設定項目情報２２２の項目の値の設定は、再生制御情報３３２を生成する際に設定されていれば良い。
【００９６】
以下に図９、図１０を参照して情報端末２００に表示される画面の例について説明する。図９は、第一の実施形態の情報端末に表示されるコンテンツデータの一覧画面の例を示す図である。
【００９７】
図９に示すコンテンツデータの一覧画面９１は、記憶領域２２０に格納されたコンテンツデータ２２１の一覧が表示される表示領域９２と、表示領域９２において選択された再生コンテンツデータ３３１が表示される表示領域９３とを有している。尚表示領域９２、には、コンテンツデータ２２１のサムネイルの一覧が表示されても良い。また表示領域９３も同様に、表示領域９２において選択されたコンテンツデータ２２１のサムネイルが表示されても良い。
【００９８】
図９に示す例では、一覧画面９１の表示領域９２に表示されたコンテンツデータ２２１の一覧から、コンテンツデータ２２１ａ，２２１ｂが選択されている。選択されたコンテンツデータ２２１ａ，２２１ｂは、再生コンテンツデータ３３１として、表示領域９３に表示される。また表示領域９２のコンテンツデータ２２１ａ，２２１ｂのサムネイルには、選択されたことを示すチェック等が重ねて表示されても良い。
【００９９】
本実施形態では、表示領域９３に表示された順にコンテンツデータ２２１が再生される。すなわち図９の再生コンテンツデータ３３１では、コンテンツデータ２２１ａ，２２１ｂの順に再生される。
【０１００】
表示領域９３に表示されるコンテンツデータ２２１の順番は、例えば表示領域９２においてコンテンツデータ２２１が選択された順であっても良い。表示領域９３に表示されたコンテンツデータ２２１の並び順は、ユーザが任意に変更することができる。
【０１０１】
図１０は、第一の実施形態の情報端末に表示される設定画面の例を示す図である。図１０に示す設定画面１０１は、設定項目情報２２２に含まれる項目Ｔｉｍｅの値を設定させる表示領域１０２と、項目Ｅｆｆｅｃｔの値を設定させる表示領域１０３とを有する。
【０１０２】
図１０の例では、項目Ｔｉｍｅの値を設定させるユーザインターフェイスとして、スライダー１０２ａを用いた。また図１０の例では、項目Ｅｆｆｅｃｔの値を設定させるユーザインターフェイスとして、各値と対応するコンテンツデータ２２１の切り替え方を示すアニメーションのアイコンを用いた。
【０１０３】
本実施形態では、各項目の値を設定させるユーザインターフェイスを上記のように視覚的に認識しやすくすることで、ユーザに容易に各項目の値を設定させることができる。
【０１０４】
以上のように本実施形態の表示システム１００では、情報端末２００がユーザにより選択されたコンテンツデータ２２１から成る再生コンテンツデータ３３１と、ユーザが設定した項目の値を含む再生制御情報３３２とを表示装置３００へ送信する。そして表示装置３００は、情報端末２００から受信した再生制御情報３３２に基づき再生コンテンツデータ３３１の再生に関する情報を設定し、再生制御情報３３２にしたがって再生コンテンツデータ３３１を再生する。
【０１０５】
よって本実施形態では、表示装置３００にユーザの希望に添ったコンテンツデータの再生に関する情報を設定させることができる。
【０１０６】
（第二の実施形態）
以下に図面を参照して本発明の第二の実施形態について説明する。本発明の第二の実施形態は、項目設定情報を表示装置から取得する点が第一の実施形態と相違する。よって以下の第二の実施形態の説明では、第一の実施形態との相違点についてのみ説明し、第一の実施形態と同様の機能構成を有するものには第一の実施形態の説明で用いた符号と同様の符号を付与し、その説明を省略する。
【０１０７】
図１１は、第二の実施形態の表示システムが有する各装置の機能構成の一例を示す図である。
【０１０８】
本実施形態の表示システム１００Ａは、情報端末２００Ａと表示装置３００Ａを有する。
【０１０９】
本実施形態の情報端末２００Ａには、再生制御プログラム２１０Ａがインストールされており、表示制御部２１１Ａと、設定項目情報取得部２１６とを有する。
【０１１０】
本実施形態の表示制御部２１１Ａは、設定項目情報２２２Ａを参照し、後述する設定画面用データ２２３に含まれる、設定項目情報２１１Ａと対応したテキストデータや画像データ等を用いて設定画面を生成し、表示させる。
【０１１１】
本実施形態の設定項目情報取得部２１６は、情報端末２００Ａにおいて再生コンテンツデータ３３１の選択の終了の指示を受けて、表示装置３００Ａへ設定項目情報２２２Ａの取得要求を行い、設定項目情報２２２Ａを取得する。本実施形態の再生制御情報生成部２１３は、設定項目情報２２２Ａに含まれる項目の値が設定されると、この値を用いて再生制御情報３３２を生成する。
【０１１２】
また本実施形態の情報端末２００Ａは、記憶領域２２０Ａを有する。本実施形態の記憶領域２２０Ａには、コンテンツデータ２２１と、設定画面用データ２２３とが格納されている。
【０１１３】
本実施形態の設定画面用データ２２３とは、設定項目情報２２２Ａに含まれる項目の値を設定する設定画面を表示させる際に用いられる画像データやテキストデータを含む。本実施形態の設定画面用データ２２３は、例えば項目の種類や項目の値の設定範囲と対応付けられている。より具体的には例えば、実施形態の設定画面用データ２２３は、項目Ｔｉｍｅに対応したテキストデータや、項目Ｅｆｆｅｃｔの設定範囲に対応した画像データを含む。
【０１１４】
画像データとは、例えば設定項目に応じたアイコンデータ等である。アイコンデータとは、例えば、項目Ｅｆｆｅｃｔを設定する設定画面における表示の切り替え方をアニメーション等として示す画像である。テキストデータとは、例えば項目Ｔｉｍｅを設定する設定画面における時間を示す文字等を含む。本実施形態の設定画面用データ２２３は、例えば表示システム１００Ａに複数の表示装置３００Ａが含まれる場合には、表示システム１００Ａに含まれる全ての表示装置３００Ａの設定項目情報２２２Ａと対応する画像データとテキストデータが含まれるものとした。
【０１１５】
尚本実施形態では、設定画面用データ２２３は記憶領域２２０Ａに格納されているものとしたが、これに限定されない。設定画面用データ２２３は、例えば情報端末２００Ａと接続された別の装置に格納されていても良い。この場合表示制御部２１１Ａは、設定項目情報２２２Ａを取得した後に、設定項目情報２２２Ａに含まれる項目や項目の値の設定範囲に対応する設定画面用データ２２３を取得し、設定画面を表示すれば良い。
【０１１６】
本実施形態の表示装置３００Ａには、再生プログラム３１０Ａがインストールされており、設定項目情報送信部３１４を有する。また本実施形態の表示装置３００Ａは、記憶領域３３０Ａを有する。記憶領域３３０Ａには、設定項目情報２２２Ａが格納されている。
【０１１７】
本実施形態の設定項目情報送信部３１４は、情報端末２００Ａから設定項目情報２２２Ａの取得要求を受けて、設定項目情報２２２Ａを情報端末２００Ａへ送信する。
【０１１８】
本実施形態の設定項目情報２２２Ａは、表示装置３００Ａにおいて再生コンテンツデータ３３１を再生する際に参照される再生制御情報３３２に含まれる所定の項目と、所定の項目に設定できる値の範囲とを含む。
【０１１９】
図１２は、第二の実施形態の設定項目情報の一例を示す図である。
【０１２０】
図１２に示す設定項目情報２２２Ａは、例えば所定の設定項目として、項目Ｏｒｄｅｒ，項目Ｔｉｍｅ，項目Ｅｆｆｅｃｔが含まれる。
【０１２１】
また図１２に示す設定項目情報２２２Ａには、各項目と対応した値の設定範囲と、初期値とが含まれる。尚初期値は、設定範囲に含まれる値である。
【０１２２】
本実施形態の設定項目情報２２２Ａでは、例えば項目Ｏｒｄｅｒに設定できる値は、０であり、再生コンテンツデータ３３１に含まれるコンテンツデータ２２１が選択された順に再生される。また項目Ｔｉｍｅに設定できる値は、５秒間隔で１秒〜２０秒までであり、初期値は５秒である。項目Ｅｆｆｅｃｔに設定できる値は、「フェードイン」と対応する０，「左へプッシュ」に対応する１，「右へプッシュ」に対応する２，「なし」と対応する３の何れかである。
【０１２３】
次に、図１３を参照して本実施形態の表示システム１００Ａの動作を説明する。図１３は、第二の実施形態の表示システムの動作を説明するシーケンス図である。
【０１２４】
図１３のステップＳ１３０１〜ステップＳ１３０３の処理は、図８のステップＳ８０１〜ステップＳ８０３までの処理と同様であるから、説明を省略する。
【０１２５】
情報端末２００Ａは、ユーザによりコンテンツデータ２２１の選択の終了を示す通知を受けると（ステップＳ１３０４）、設定項目情報取得部２１６により、表示システム１００実施形態装置３００Ａに対して設定項目情報２２２Ａの取得要求を行う（ステップＳ１３０５）。表示装置３００Ａは、この要求を受けて、設定項目情報２２２Ａを情報端末２００Ａに送信する（ステップＳ１３０６）。
【０１２６】
情報端末２００Ａは、表示制御部２１１Ａにより、設定項目情報２２２Ａに含まれる項目と項目の値を設定する設定画面を表示させる（ステップＳ１３０７）。ステップＳ１３０７で表示される設定画面の詳細は後述する。
【０１２７】
ステップＳ１３０８〜ステップＳ１３２０の処理は、図８のステップＳ８０５〜ステップＳ８１７までの処理と同様であるから説明を省略する。
【０１２８】
図１４は、第二の実施形態の情報端末に表示される設定画面の例を示す図である。
【０１２９】
本実施形態の設定画面１４１には、設定項目情報２２２Ａに含まれる項目Ｔｉｍｅの値を設定させる表示領域１０２Ａと、項目Ｅｆｆｅｃｔの値を設定させる表示領域１０３Ａとを有する。
【０１３０】
本実施形態の表示制御部２１１Ａは、設定画面用データ２２３に含まれる画像データやテキストデータを用いて、設定項目情報２２２Ａに含まれる項目と設定範囲とに対応した設定画面１４１を情報端末２００Ａに表示させる。
【０１３１】
設定画面１４１は、設定項目情報２２２Ａに含まれる項目Ｔｉｍｅの値を設定させる表示領域１０２Ａと、項目Ｅｆｆｅｃｔの値を設定させる表示領域１０３Ａとを有する。
【０１３２】
表示領域１０２Ａには、設定画面用データ２２３に含まれる項目Ｔｉｍｅの設定範囲に対応するテキストデータ１０２Ｂ，１０２Ｃが表示されている。
【０１３３】
また表示領域１０３Ａには、設定画面用データ２２３に含まれる項目Ｅｆｆｅｃｔの値を設定させる画像データ１０３Ｂと、この画像データ１０３Ｂと、画像データ１０３Ｂと対応するテキストデータ１０３Ｃとが表示されている。
【０１３４】
また本実施形態では、情報端末２００Ａにおけるコンテンツデータ２２１の選択の終了の指示を受けて、表示装置３００Ａへ設定項目情報２２２Ａの取得要求を行うものとしたが、これに限定されない。情報端末２００Ａは、例えば表示装置３００Ａとの接続を検知した際に、設定項目情報２２２Ａの取得要求を行っても良い。
【０１３５】
また本実施形態では、情報端末２００Ａは、設定項目情報２２２Ａを取得した直後に設定画面を表示するものとしたが、これに限定されない。情報端末２００Ａは、表示装置３００Ａとの接続が検知された際に設定項目情報２２２Ａを取得して保持しておき、ユーザにより決められる任意のタイミングで設定画面を表示させても良い。
【０１３６】
また本実施形態では、表示装置３００Ａから設定項目情報２２２Ａを取得するものとしたが、これに限定されない。例えば表示装置３００Ａは、表示装置３００ＡのＳＳＩＤ（Service Set Identifier）に項目設定情報２２２Ａを含めて情報端末２００へ送信しても良い。
【０１３７】
また本実施形態の情報端末２００Ａは、例えば項目設定情報２２２Ａの取得に失敗した場合、その旨を表示制御部２１１Ａに通知しても良い。この場合表示制御部２１１Ａは、設定画面１４１の表示指示を受けた際に、項目設定情報２２２Ａの取得に失敗したこと示すエラーメッセージを表示させても良いし、再度設定項目情報２２２Ａの取得要求を行っても良い。
【０１３８】
また本実施形態の情報端末２００Ａは、例えば設定項目情報２２２Ａと共に表示装置３００Ａの機種情報等を取得し、設定項目情報２２２Ａと対応付けて保持していても良い。この構成により、一度接続された表示装置３００Ａの設定項目情報２２２Ａの取得要求を二度行わなくても良くなる。
【０１３９】
以上のように本実施形態の情報端末２００Ａでは、表示装置３００Ａから取得した設定項目情報２２２Ａに基づき、再生制御情報３３２に含まれる項目の値を設定させる。したがって本実施形態では、例えば表示システム１００Ａに複数の表示装置３００Ａが存在した場合でも、情報端末２００Ａは、情報端末２００Ａと接続された表示装置３００Ａにおいて、実現可能な項目の値を設定させることができる。
【０１４０】
（第三の実施形態）
以下に図面を参照して本発明の第三の実施形態について説明する。本発明の第三の実施形態は、設定項目情報がネットワーク上のサーバに格納されている点が第二の実施形態と相違する。よって以下の第三の実施形態の説明では、第二の実施形態との相違点についてのみ説明し、第二の実施形態と同様の機能構成を有するものには第一の実施形態の説明で用いた符号と同様の符号を付与し、その説明を省略する。
【０１４１】
図１５は、第三の実施形態の表示システムが有する各装置の機能構成の一例を示す図である。
【０１４２】
本実施形態の表示システム１００Ｂは、情報端末２００Ｂと、表示装置３００Ｂと、情報提供サーバ４００とを有する。
【０１４３】
本実施形態では、情報提供サーバ４００に、表示装置３００Ａの機種情報と設定項目情報２２２Ａとが対応付けられた対応テーブル４１０が格納されている。
【０１４４】
本実施形態の情報提供サーバ４００は、ネットワーク上に存在しており、情報端末２００Ｂからの設定項目情報２２２Ａの取得要求に応じて設定項目情報２２２Ａを情報端末２００Ｂに提供する。
【０１４５】
本実施形態の情報端末２００Ｂには、再生制御プログラム２１０Ｂがインストールされており、機種情報取得部２１７を有する。本実施形態の機種情報取得部２１７は、表示装置３００Ｂに機種情報の取得要求を行い、表示装置３００Ｂから機種情報を取得する。
【０１４６】
また本実施形態の表示装置３００Ｂには、再生プログラム３１０Ｂがインストールされており、機種情報送信部３１４Ａを有する。また本実施形態の表示装置３００Ｂは、記憶領域３３０Ｂを有する。記憶領域３３０Ｂは表示装置３００Ｂの機種情報３３３が格納されている。本実施形態の機種情報３３３とは、例えば表示装置３００Ｂを識別する機種名や、製品識別情報等であり、表示装置３００Ｂに予め設定された情報である。
【０１４７】
本実施形態の機種情報送信部３１４Ａは、情報端末２００Ｂから機種情報の取得要求を受けて、記憶領域３３０Ｂに格納された機種情報を読み出し、機種情報送信部３１４Ａによりこの機種情報を情報端末２００Ｂへ送信する。
【０１４８】
本実施形態の表示システム１００Ｂにおいて、情報端末２００Ｂは、例えばコンテンツデータ２２１の一覧表示要求を受けると、機種情報取得部２１７により表示装置３００Ｂの機種情報３３３を取得する。そして情報端末２００Ｂは、設定項目情報取得部２１６により、取得した機種情報と共に、設定項目情報２２２Ａの取得要求を情報提供サーバ４００に送信する。
【０１４９】
情報提供サーバ４００は、対応テーブル４１０を参照し、情報端末２００Ｂから送信された機種情報３３３と対応した設定項目情報２２２Ａを情報端末２００Ｂへ送信する。
【０１５０】
情報端末２００Ｂは、設定項目情報２２２Ａを取得すると、表示制御部２１１Ａによる処理を実行する。
【０１５１】
尚本実施形態では、表示装置３００Ｂの機種情報３３３は、表示装置３００ＢのＳＳＩＤに含まれる情報として情報端末２００Ｂに送信されても良い。
【０１５２】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【０１５３】
１００、１００Ａ、１００Ｂ  表示システム
２００、２００Ａ、２００Ｂ  情報端末
２１０、２１０Ａ、２１０Ｂ  再生制御プログラム
２２０、２２０Ａ、３３０、３３０Ａ、３３０Ｂ  記憶領域
２１１、２１１Ａ  表示制御部
２１２  入力受付部
２１３  再生制御情報生成部
２１４  送信部
２１５  設定テーブル
２１６  設定項目情報取得部
２１７  機種情報取得部
２２１  コンテンツデータ
２２２、２２２Ａ  設定項目情報
２２３  設定画面用データ
３００、３００Ａ、３００Ｂ  表示装置
３１０、３１０Ａ、３１０Ｂ  再生プログラム
３１１  保存制御部
３１２  検証部
３１３  通知部
３１４  設定項目情報送信部
３１４Ａ  機種情報送信部
３２０  表示制御部
３３１  再生能力情報
３３２  再生コンテンツデータ
【先行技術文献】
【特許文献】
【０１５４】
【特許文献１】特開２０１０−２３２７６０号公報
【図１】
2015053624.tif 000003
【図２】
2015053624.tif 000004
【図３】
2015053624.tif 000005
【図４】
2015053624.tif 000006
【図５】
2015053624.tif 000007
【図６】
2015053624.tif 000008
【図７】
2015053624.tif 000009
【図８】
2015053624.tif 000010
【図９】
2015053624.tif 000011
【図１０】
2015053624.tif 000012
【図１１】
2015053624.tif 000013
【図１２】
2015053624.tif 000014
【図１３】
2015053624.tif 000015
【図１４】
2015053624.tif 000016
【図１５】
2015053624.tif 000017